(57)【要約】      （修正有）【課題】足に対するフィット感が優れ、使用者に疲れや足裏の痛みを緩和する機能を備えた中敷きを提供する。【解決手段】靴の中敷き１は、安全靴等の靴の中に挿入されて使用される物である。靴の中敷きは、エラストマーを素材とする本体部２と、本体部の表面に貼り付けられた表皮部３を有し、長手方向にのびる中心線上であって、各領域の中心の厚さＦｔ、Ｍｔ、Ｒｔは、次式の関係にあり、且つ本体部の弾性係数が０．０８ＭＰａ乃至１．２ＭＰａである。2017023610.tif 000008Ｆｔ踏み付け部領域Ａの中心の厚さ、Ｍｔ踏まず部領域Ｂの中心の厚さ、Ｒｔかかと部領域Ｃの中心の厚さ【選択図】図１
2017023610.tif 000002
【特許請求の範囲】
【請求項１】
足の足趾部及び足裏の踏み付け部が当接する踏み付け部領域と、足裏の踏まず部が当接する踏まず部領域と、足裏のかかと部が当接するかかと部領域を有し、靴の中に挿入して使用される靴の中敷きにおいて、
エラストマーを素材とする本体部と、本体部の表面に貼り付けられた表皮部を有し、長手方向にのびる中心線上であって、各領域の中心の厚さＦｔ、Ｍｔ、Ｒｔは、次式の関係にあり、且つ本体部の弾性係数が０．０８ＭＰａ乃至１．２ＭＰａであることを特徴とする靴の中敷き。
【数１】
2017023610.tif 000007
【請求項２】
踏み付け部領域であって爪先相当部から全長の４分の１の領域の厚さは、最大と最小の差が１ｍｍ以下であり、
かかと部領域は、周部の厚さが厚く中央部の厚さが薄いことを特徴とする請求項１に記載の靴の中敷き。
【発明の詳細な説明】
【技術分野】
【０００１】
本発明は、靴の中敷きに関するものである。
本発明の靴の中敷きは、安全靴や作業靴、長靴等の業務用の靴やゴルフシューズ等の長時間に渡って履きつづけ、歩き続ける用途の靴に挿入される中敷きとして好適である。本発明の中敷きは、靴の素材を選ばず、スニーカやズック靴等の布製の靴や、革靴等に適用することができる。
【背景技術】
【０００２】
靴の中に挿入する中敷きが知られている。市販されている中敷きには、脱臭効果をうたうもの、膝への負担を軽減することができるもの、ふくらはぎやふとももの疲れを軽減するもの等がある。
【先行技術文献】
【特許文献】
【０００３】
【特許文献１】特開２０１５−１０４５４４号公報
【発明の概要】
【発明が解決しようとする課題】
【０００４】
安全靴は、踏み抜き防止のために底に金属板や樹脂板が挿入されている。安全靴は、工場内で使用されることが多いが、クギ等の金属片や尖った石等が散らばる場所を歩いても安全であるから、建築物の解体現場等でも使用される。また自衛隊の隊員や消防士等が悪路やガレキの中で作業する場合にも着用される場合が多い。
特に自衛隊の訓練や、災害派遣、外地におけるＰＫＯ活動等においては、長時間に渡ってガレキの中や悪路を踏破することとなる。その際に安全靴を履いていると、足が疲れる。特に足裏に痛みが生じる場合が多い。
【０００５】
またゴム長靴は、水産業や飲食店の厨房で着用される場合が多いが、ゴム長靴は底が柔らかく、地面の凹凸が直接的に足に伝わり、足裏に痛みが生じる場合が多い。
【０００６】
一般に中敷きは、クッション性があり、足裏の疲れを緩和する効果がある。しかしながら、市場においては、より疲れにくい中敷きが求められている。
本発明は、上記した市場の要求に応える靴の中敷きを開発することを課題とするものであり、足に対するフィット感が優れ、使用者に疲れや足裏の痛みを緩和する機能を備えた靴の中敷きを提供することを課題とするものである。
【課題を解決するための手段】
【０００７】
上記した課題を解決するための請求項１に記載の発明は、足の足趾部及び足裏の踏み付け部が当接する踏み付け部領域と、足裏の踏まず部が当接する踏まず部領域と、足裏のかかと部が当接するかかと部領域を有し、靴の中に挿入して使用される靴の中敷きにおいて、エラストマーを素材とする本体部と、本体部の表面に貼り付けられた表皮部を有し、長手方向にのびる中心線上であって、各領域の中心の厚さＦｔ、Ｍｔ、Ｒｔは、次式の関係にあり、且つ本体部の弾性係数が０．０８ＭＰａ乃至１．２ＭＰａであることを特徴とする靴の中敷きである。
【数１】
2017023610.tif 000003
【０００８】
本発明の靴の中敷きは、かかと部領域に比べて踏まず部領域の厚さが僅かに厚い。そのため本発明の中敷きを靴の中に入れると、かかと部領域に比べて踏まず部領域が僅かに高くなる。
一方、本体部はある程度の弾性があり、且つかかと部領域は踏み付け部領域に比べて厚い。そのため使用者の体重によってかかと部領域が適度に沈み、使用者の土踏まずが踏まず部領域に軽く当たる。そのため足裏の全域が中敷きに触れ、足に対するフィット感が優れる。
本発明の靴の中敷きによると、使用者の土踏まずを中敷きの踏まず部領域が支えるので足の疲れや足裏の痛みが緩和される。
【０００９】
請求項２に記載の発明は、踏み付け部領域であって爪先相当部から全長の４分の１の領域の厚さは、最大と最小の差が１ｍｍ以下であり、かかと部領域は、周部の厚さが厚く中央部の厚さが薄いことを特徴とする請求項１に記載の靴の中敷きである。
【００１０】
本発明の靴の中敷きでは、踏み付け部領域であって爪先相当部から全長の４分の１の領域の厚さが略一定である。そのため本発明の靴の中敷きは、使用者の足裏の踏み付け部に沿いやすい。
またかかと部領域は、周部の厚さが厚く中央部の厚さが薄いので、使用者の足裏のかかとに沿いやすい。
【発明の効果】
【００１１】
本発明の靴の中敷きは、足に対するフィット感が優れ、使用者の疲れや足裏の痛みを緩和する機能を備えている。
【図面の簡単な説明】
【００１２】
【図１】本発明の実施形態の靴の中敷きの斜視図である。
【図２】図１の靴の中敷きの正面図である。
【図３】図１の靴の中敷きの裏面図である。
【図４】図１の靴の中敷きの側面図である。
【図５】図１のＡ−Ａ断面図である。
【図６】図１のＢ−Ｂ断面図である。
【図７】図１のＣ−Ｃ断面図である。
【図８】図１のＤ−Ｄ断面図である。
【図９】（ａ）乃至（ｃ）は、図１の靴の中敷きに足を置く際の挙動を示す説明図である。
【発明を実施するための形態】
【００１３】
以下さらに本発明の実施形態について説明する。
本実施形態の靴の中敷き１は、安全靴やカジュアルシューズ、長靴等の靴の中に挿入して使用されるものであり、樹脂によって成形された本体部２と、本体部２の表面に貼り着けられた表皮材３によって構成されている。
本体部２は、独立気泡の発泡層を有するウレタン樹脂で作られている。独立気泡の平均粒径は、０．０１ｍｍ乃至１．０ｍｍ程度であり、より望ましくは、０．０５ｍｍ乃至０．５ｍｍ程度であり、最も望ましくは、０．１ｍｍ乃至０．３ｍｍである。
本体部の圧縮弾性率は、０．０８ＭＰａ乃至１．２ＭＰａであり、望ましくは０．１ＭＰａ乃至１ＭＰａであり、より望ましくは０．２ＭＰａ乃至０．５ＭＰａであり、もっとも推奨される圧縮弾性率は０．３ＭＰａ乃至０．４ＭＰａである。
【００１４】
前記した様に、本体部２は発泡層であるから、強く圧縮すれば、全高は自然状態の２０パーセント未満になる。逆に言えば全高が自然状態の２０パーセント程度の限界領域となるまで、本体部２のクッション性が維持される。
表皮材３は、厚さが０．５ｍｍ乃至１．２ｍｍ程度の厚さの織物である。
【００１５】
本実施形態の靴の中敷き１は、図２、図９の様に様に足の足趾部及び足裏の踏み付け部が当接する踏み付け部領域Ａと、足裏の踏まず部が当接する踏まず部領域Ｂと、足裏のかかと部が当接するかかと部領域Ｃを有している。
踏み付け部領域は、足趾部が当たる足趾部領域ａと、踏み付け部が当接する前面領域ｂを含む。
足趾部領域ａは、先端が円弧状である。前面領域ｂの幅は、靴の中敷き１の中では最も広い。かかと部領域Ｃは後端が円弧状である。中間にある踏まず部領域Ｂの幅は、前面領域ｂよりも狭く、かかと部領域Ｃよりも広い。
【００１６】
靴の中敷き１の厚さは、各部によって相違し、靴の中敷き１の上面にはなだらかな起伏がある。
図５は、図１のＡ−Ａ断面図であり、長手方向にのびる中心線上で切断した断面図である。
図５乃至図８で明らかな様に、各領域の中心線上の高さは、踏まず部領域Ｂが最も高く、次いでかかと部領域Ｃが高く、踏み付け部領域Ａは低い。
即ち踏み付け部領域の中心の厚さをＦｔとし、踏まず部領域の中心の厚さをＭｔとし、かかと部領域の中心の厚さをＲｔとすると、Ｆｔ、Ｍｔ、Ｒｔの間には、次式の関係がある。
【００１７】
【数２】
2017023610.tif 000004
【００１８】
またより好ましくは、次式の関係にある。
【００１９】
【数３】
2017023610.tif 000005
【００２０】
さらに好ましくは、次式の関係にある。
【００２１】
【数４】
2017023610.tif 000006
【００２２】
踏み付け部領域の中心の厚さをＦｔは、２ｍｍ乃至１０ｍｍ程度であり、より望ましくは、３ｍｍ乃至８ｍｍ程度であり、最も推奨されるのは、５ｍｍ乃至６ｍｍである。
踏まず部領域の中心の厚さＭｔは、５ｍｍ乃至１６ｍｍ程度であり、より望ましくは、８ｍｍ乃至１４ｍｍ程度であり、最も推奨されるのは、１０ｍｍ乃至１３ｍｍである。
かかと部領域の中心の厚Ｒｔは、４ｍｍ乃至１５ｍｍ程度であり、より望ましくは、７ｍｍ乃至１３ｍｍ程度であり、最も推奨されるのは、９ｍｍ乃至１１ｍｍである。
【００２３】
各部の横断面は、図６乃至８の様であり、踏み付け部領域Ａは平坦面である。
踏み付け部領域Ａであって爪先相当部４から全長の４分の１の領域の厚さは、最大と最小の差が１ｍｍ以下であり、より望ましくは０．８ｍｍ以下である。
これに対して踏まず部領域Ｂとかかと部領域Ｃは、周辺部の高さがやや高く、中央は窪んでいる。
踏まず部領域Ｂにおける中心部と周辺部の厚さの差は、３ｍｍ乃至５ｍｍである。
かかと部領域Ｃにおける中心部と周辺部の厚さの差は、３ｍｍ乃至８ｍｍである。
かかと部領域Ｃの周部の厚（高さ）は、踏まず部領域Ｂの周部の厚（高さ）よりも厚い。
【００２４】
靴の中敷き１の裏面には、図３の様に模様がある。模様は凹凸形状によって形成されている。
【００２５】
次に、本実施形態の靴の中敷き１の挙動について説明する。
本実施形態の靴の中敷き１は、踏まず部領域Ｂが他の部位に比べて高いが、かかと部領域Ｃとの差は僅かである。
従って靴の中敷き１に足を単に置くと、図９（ｂ）の様に足の土踏まずと踏まず部領域Ｂの間に隙間ができる。
しかしながら、靴の中敷き１は柔らかく、且つある程度の厚さがあるから、使用者の体重が掛かると、かかと部領域Ｃが沈み、図９（ｃ）の様に足の土踏まずに踏まず部領域Ｂの表面が密接する。
また中敷き１は柔らかいものの、ある程度の弾性を有し、且つ中敷き１の本体部２は、発泡樹脂であって変形能が高いから、中敷き１に体重が掛かっても、変形は限界領域にまでは至らず、クッション性を保持している。
そのため本実施形態の靴の中敷き１は、フィット感に優れる。また本実施形態の靴の中敷き１は、使用者の疲れや足裏の痛みを緩和する効果がある。
【符号の説明】
【００２６】
１  靴の中敷き
２  本体部
３  表皮材
Ａ  踏み付け部領域
Ｂ  踏まず部領域
Ｃ  かかと部領域
【図１】
2017023610.tif 000009
【図２】
2017023610.tif 000010
【図３】
2017023610.tif 000011
【図４】
2017023610.tif 000012
【図５】
2017023610.tif 000013
【図６】
2017023610.tif 000014
【図７】
2017023610.tif 000015
【図８】
2017023610.tif 000016
【図９】
2017023610.tif 000017